(57)【要約】【課題】既に構築された既存の太陽電池屋根に対し、雪止め効果を付与すると共に、太陽電池の発電効率を向上する効果、及び電池効率の低下を抑制する効果をも付与することができる既存の太陽電池屋根の雪止め方法、及び雪止め構造を提供する。【解決手段】本発明は、太陽電池パネル１が敷設された既存の太陽電池屋根の雪止め方法であって、太陽電池パネル１，１間に雪を貯留し得る空間アを設ける貯留空間工程と、当該貯留空間に雪を導き得る雪止め部イを設ける雪止め部形成工程とを行うことを特徴とする。【選択図】図１
2014080829.tif 000002
【特許請求の範囲】
【請求項１】
既存屋根上に太陽電池パネルが敷設された既存の太陽電池屋根の雪止め方法であって、
太陽電池パネル間に雪を貯留し得る空間を設ける貯留空間形成工程と、当該貯留空間に雪を導き得る雪止め部を設ける雪止め部形成工程とを行うことを特徴とする既存の太陽電池屋根の雪止め方法。
【請求項２】
貯留空間形成工程は、既設の太陽電池パネルの一部又は全部を流れ方向に移動させて隣接する太陽電池パネル間に貯留空間を形成することを特徴とする請求項１に記載の既存の太陽電池屋根の雪止め方法。
【請求項３】
貯留空間形成工程は、既設の太陽電池パネルの一部又は全部を取り除き、当該取り外した太陽電池パネルより幅狭な太陽電池パネルを敷設することで隣接する太陽電池パネル間に貯留空間を形成することを特徴とする請求項１に記載の既存の太陽電池屋根の雪止め方法。
【請求項４】
貯留空間形成工程は、既設の太陽電池パネルの一部又は全部を高さ方向に移動させて隣接する太陽電池パネル間に貯留空間を形成することで隣接する太陽電池パネルとの間に段差状の貯留空間を形成することを特徴とする請求項１〜３の何れか一項に記載の既存の太陽電池屋根の雪止め方法。
【請求項５】
貯留空間形成工程は、既設の太陽電池パネルの一部又は全部の流れ方向の一端を高く設置して勾配を付けることで隣接する太陽電池パネルとの間に段差状の貯留空間を形成することを特徴とする請求項１〜３の何れか一項に記載の既存の太陽電池屋根の雪止め方法。
【請求項６】
雪止め部形成工程は、既設の太陽電池パネルを固定している一部又は全部の固定部材に代えて上方へ延出する突出部を有する固定具を用いることを特徴とする請求項１〜５の何れか一項に記載の既存の太陽電池屋根の雪止め方法。
【請求項７】
請求項１〜６の何れか一項に記載の雪止め方法により施工された既存の太陽電池屋根の雪止め構造であって、
太陽電池パネル間に雪を貯留し得る空間が形成され、当該貯留空間に雪を導き得る雪止め部を設けてなることを特徴とする既存の太陽電池屋根の雪止め構造。
【発明の詳細な説明】
【技術分野】
【０００１】
本発明は、既に構築された既存の太陽電池屋根に対し、雪止め効果を付与すると共に、太陽電池の発電効率を向上する効果、及び電池効率の低下を抑制する効果をも付与することができる既存の太陽電池屋根の雪止め方法、及び雪止め構造に関する。
【背景技術】
【０００２】
既存の太陽電池屋根は、縦横に隣接するパネル間に殆ど隙間が形成されないように施工されている。この理由は、各パネルの太陽電池セルを電気的に接続するためのケーブル等を最小とするためであり、さらに一枚の巨大な盤状とすることにより吹き上げ風等に対向する強度を持たせるため等が原因として挙げられる。
【０００３】
一方、特に寒冷な地域においては、当初から雪止め金具等を取り付けた構造の太陽電池屋根が採用され、例えば特許文献１には、太陽電池瓦１の軒側に固定した横フレーム２ｂに雪止め具５を固定する構成が記載され、特許文献２には、太陽電池モジュール１０の水下側に雪止部材１６０を配設した構造が記載され、特許文献３には、雪止部１ｂ及び回転防止部ｂｃを有する雪止め部材１を、フレーム部材３を介して太陽電池モジュール２に固定する構成が記載されている。
【先行技術文献】
【特許文献】
【０００４】
【特許文献１】特許第３７００６４６号公報
【特許文献２】特開２００９−２９９４５１号公報
【特許文献３】特開２００６−２７８６７１号公報
【発明の概要】
【発明が解決しようとする課題】
【０００５】
しかしながら、前記既存の太陽電池屋根は、前述のように縦横に隣接するパネル間に殆ど隙間が形成されないように施工されているため、雪止め具を取り付けようとしても、一枚の巨大な板状の端縁に取り付ける他はなく、雪止め効果は著しく低いものであった（図１（ｂ）参照）。
また、隣接するパネル間に僅かに隙間が形成されており、該隙間に雪止め具を取り付けた構造としても、この雪止め具は雪の滑落を堰き止めるものに過ぎないので、積雪部分が太陽電池の受光面積を減少させ、発電量の低下に繋がっていた。
【０００６】
前記特許文献１〜３等に記載の提案でも、雪止め具をフレーム等に固定する構成であるため、雪止め具に積雪や雪の滑落等の荷重が作用してフレーム等の変形や強度低下などを引き起こすおそれがあった。
さらに、前記雪止め具では、雪の滑落を堰き止めるものであるため、積雪部分が太陽電池の受光面積を減少させ、発電量の低下に繋がっていた。
【０００７】
そこで、本発明は、既に構築された既存の太陽電池屋根に対し、雪止め効果を付与すると共に、太陽電池の発電効率を向上する効果、及び電池効率の低下を抑制する効果をも付与することができる既存の太陽電池屋根の雪止め方法、及び雪止め構造を提案することを目的とする。
【課題を解決するための手段】
【０００８】
本発明は、上記に鑑み提案されたもので、既存屋根上に太陽電池パネルが敷設された既存の太陽電池屋根の雪止め方法であって、太陽電池パネル間に雪を貯留し得る空間を設ける貯留空間工程と、当該貯留空間に雪を導き得る雪止め部を設ける雪止め部形成工程とを行うことを特徴とする既存の太陽電池屋根の雪止め方法に関するものである。
なお、本発明の名称である「既存の太陽電池屋根の雪止め方法」とは、「既存屋根上に太陽電池パネルが敷設された太陽電池屋根に新たに雪止め構造を付与するための方法」を意味している。
【０００９】
また、本発明は、前記雪止め方法において、貯留空間形成工程は、既設の太陽電池パネルの一部又は全部を流れ方向に移動させて隣接する太陽電池パネル間に貯留空間を形成することを特徴とする既存の太陽電池屋根の雪止め方法をも提案する。
【００１０】
また、本発明は、前記雪止め方法において、貯留空間形成工程は、既設の太陽電池パネルの一部又は全部を取り除き、当該取り外した太陽電池パネルより幅狭な太陽電池パネルを敷設することで隣接する太陽電池パネル間に貯留空間を形成することを特徴とする既存の太陽電池屋根の雪止め方法をも提案する。
【００１１】
また、本発明は、前記雪止め方法において、貯留空間形成工程は、既設の太陽電池パネルの一部又は全部を高さ方向に移動させて隣接する太陽電池パネルとの間に段差状の貯留空間を形成することを特徴とする既存の太陽電池屋根の雪止め方法をも提案する。
この場合、高く設置した太陽電池パネルの側面を雪止め部としてもよい。
【００１２】
また、本発明は、前記雪止め方法において、貯留空間形成工程は、既設の太陽電池パネルの一部又は全部の流れ方向の一端を高く設置して勾配を付けることで隣接する太陽電池パネルとの間に段差状の貯留空間を形成することを特徴とする既存の太陽電池屋根の雪止め方法をも提案する。
この場合、一端を高く設置した太陽電池パネルの側面を雪止め部としてもよい。
【００１３】
また、本発明は、前記雪止め方法において、雪止め部形成工程は、既設の太陽電池パネルを固定している一部又は全部の固定部材に代えて上方へ延出する突出部を有する固定具を用いることを特徴とする既存の太陽電池屋根の雪止め方法をも提案する。
【００１４】
さらに、本発明は、前記雪止め方法により施工された既存の太陽電池屋根の雪止め構造であって、太陽電池パネル間に雪を貯留し得る空間が形成され、当該貯留空間に雪を導き得る雪止め部を設けてなることを特徴とする既存の太陽電池屋根の雪止め構造をも提案するものである。
なお、この「既存の太陽電池屋根の雪止め構造」とは、「既存屋根上に太陽電池パネルが敷設された太陽電池屋根に新たに雪止め構造を付与した構造」又は「既存屋根上に太陽電池パネルが敷設された太陽電池屋根をベースとした雪止め構造」を意味している。
【発明の効果】
【００１５】
本発明の既存の太陽電池屋根の雪止め方法は、既存屋根上に殆ど隙間なく形成された既存の太陽電池パネル間に雪を貯留し得る貯留空間を形成する工程と、該貯留空間に雪を導き得る雪止め部を形成する工程とからなり、僅かな作業にて、雪止め効果を付与すると共に、太陽電池の発電効率を向上する効果、及び電池効率の低下を抑制する効果をも付与することができるものである。
また、単なる雪止め効果ではなく、雪止め部にて雪や雨水を貯留空間へ落とす、又は該パネル間から裏面空間に落とすことができ、受光面への積雪や付着物等を速やかに排除することができ、太陽電池の発電効率の低下を防止することができる。
さらに、前記雪止め部は、太陽電池パネルの裏面空間内の空気を排出する作用も果たすので、太陽電池パネルの裏面空間内の排熱が円滑に行え、太陽電池セルの発電効率の低下を抑制することができる。
【００１６】
また、貯留空間形成工程が、既設の太陽電池パネルの一部又は全部を流れ方向に移動させて隣接する太陽電池パネル間に貯留空間を形成する場合には、太陽電池パネル自体は取り替えたりしないため、新たな太陽電池パネルを必要としないので、費用コストも低く抑えることができる。
【００１７】
また、貯留空間形成工程が、既設の太陽電池パネルの一部又は全部を取り除き、当該取り外した太陽電池パネルより幅狭な太陽電池パネルを敷設することで隣接する太陽電池パネル間に貯留空間を形成する場合には、既設の太陽電池パネルの耐久期限が迫っている場合や新たに高性能の太陽電池パネルを取り付ける場合などに好適である。
【００１８】
また、貯留空間形成工程が、既設の太陽電池パネルの一部又は全部を高さ方向に移動させることで隣接する太陽電池パネルとの間に段差（隅部）状の貯留空間を形成する場合には、太陽電池パネル自体は取り替えないため、新たな太陽電池パネルを必要とせず、費用コストも低く抑えることができる。なお、高く移動させた太陽電池パネルの側面を雪止め部としてもよいため、この場合には、当該貯留空間形成工程は雪止め部形成工程を兼ねることができる。
【００１９】
また、貯留空間形成工程が、既設の太陽電池パネルの一部又は全部の流れ方向の一端を高く設置して勾配を付けることで隣接する太陽電池パネルとの間に段差（隅部）状の貯留空間を形成する場合には、太陽電池パネル自体は取り替えないため、新たな太陽電池パネルを必要とせず、費用コストも低く抑えることができる。なお、一端を高く設置した太陽電池パネルの側面を雪止め部としてもよいため、この場合には、当該貯留空間形成工程は雪止め部形成工程を兼ねることができる。
【００２０】
また、雪止め部形成工程は、既設の太陽電池パネルを固定している一部又は全部の固定部材に代えて上方へ延出する突出部を有する固定具を用いる場合には、例えば前記貯留空間形成工程において、既設の太陽電池パネルを取り外す際に既設の固定部材を取り外し、新たな位置又は新たなパネルを取り付ける際に突出部を有する固定部材を取り付ければよいので、貯留空間形成工程と実質的に同時にこの雪止め部形成工程を実施できる。
【００２１】
さらに、本発明の雪止め構造は、既存屋根上に太陽電池パネルが敷設された既存の太陽電池屋根が有していない効果である雪止め作用を付与したものであり、しかもその雪止め作用は、単に雪を堰き止めるばかりでなく、雪や雨水を貯留空間へ落とす、又は該パネル間から裏面空間に落とすことができ、受光面への積雪や付着物等を速やかに排除することができ、しかも太陽電池の発電効率の低下を防止することができる。
【図面の簡単な説明】
【００２２】
【図１】（ａ）本発明の第１実施例の太陽電池屋根の雪止め構造を示す断面図、（ｂ）本発明を施工する以前の既存の太陽電池屋根を示す断面図である。
【図２】（ａ）本発明の第２実施例の太陽電池屋根の雪止め構造を示す断面図、（ｂ）本発明を施工する以前の既存の太陽電池屋根を示す断面図である。
【図３】（ａ）本発明の第３実施例の太陽電池屋根の雪止め構造を示す断面図、（ｂ）それに用いた固定部材を拡大して示す断面図である。
【図４】（ａ）本発明の第４実施例の太陽電池屋根の雪止め構造を示す断面図、（ｂ）本発明の第５実施例の太陽電池屋根の雪止め構造を示す断面図である。
【発明を実施するための形態】
【００２３】
本発明の既存の太陽電池屋根の雪止め方法は、既存屋根上に太陽電池パネルが敷設された既存の太陽電池屋根に雪止め構造（作用）を付与する方法であって、太陽電池パネル間に雪を貯留し得る空間を設ける（Ｉ）貯留空間工程と、当該貯留空間に雪を導き得る雪止め部を設ける（II）雪止め部形成工程とを行うことを特徴とする。
なお、既存屋根は縦葺き、横葺き、折板、瓦、防水屋根等のどのような仕様でもよく、太陽電池の下方で雨仕舞い（防水）が行えるものであれば特に限定するものではない。
以下、本発明を構成する各工程について説明する。
【００２４】
（Ｉ）貯留空間工程
この工程は、太陽電池パネル間に雪を貯留し得る空間を設ける工程であるが、具体的には、（Ａ）流れ方向に一定間隔の空間を形成する方法と、（Ｂ）高さ方向に段差（隅部）状の空間を形成する方法と、（Ｃ）それらを組み合わせた方法とがある。
【００２５】
（Ａ）流れ方向に一体間隔の空間を形成する方法を更に詳細に説明すると、（ａ１）既設の太陽電池パネルの一部又は全部を既存屋根上の流れ方向に移動させる方法と、（ａ２）既設の太陽電池パネルの一部又は全部を取り除き、当該取り外した太陽電池パネルより幅狭な太陽電池パネルを敷設する方法とがある。
【００２６】
前記（ａ１）既設の太陽電池パネルの一部又は全部を既存屋根上の流れ方向に移動させる方法は、太陽電池パネル自体は取り替えしないため、新たな太陽電池パネルを必要としないので、費用コストも低く抑えることができる。
このケースでは、既設のパネルの全部を移動させる場合には、パネルの総敷設面積が拡大するため、一部のパネルを取り除くようにもよい。また、既設のパネルの一部を移動させる場合には、既設のパネルのうち端部に位置するパネルを移動する。
【００２７】
前記（ａ２）既設の太陽電池パネルの一部又は全部を取り除き、当該取り外した太陽電池パネルより幅狭な太陽電池パネルを敷設する方法は、既設の太陽電池パネルの耐久期限に迫っている場合や新たに高性能の太陽電池パネルを取り付ける場合などに好適である。
【００２８】
取り付ける幅狭な太陽電池パネルは、取り外した既設の太陽電池パネルと同等の太陽電池パネルでもよいし、電気的に結合して支障を生じないものであれば必ずしもその限りではない。即ち結晶系等の太陽電池セルをガラス等に積層させてモジュール化したものであっても、アモルファス等の薄膜のものであってもよく、薄膜等にあっては、基材となる金属板等に一体化してシート状（板状）或いはボード状にしたものであってもよい。また、この幅狭な太陽電池パネルは、上記のモジュール、シート、ボード等をそのまま敷設するものでも、周縁に枠体（フレーム）を配して敷設するものでもよい。さらに、発電量を増大させるために両面受光（発電）型の太陽電池を用いてもよく、この場合、太陽電池の裏面側に反射部を介在させればよく、下地が兼用するものでも別途設けるものでもよい。
【００２９】
（Ｂ）高さ方向に段差（隅部）状の空間を形成する方法を更に詳細に説明すると、（ｂ１）既設の太陽電池パネルの一部又は全部を高さ方向に移動させる方法と、（ｂ２）既設の太陽電池パネルの一部又は全部の流れ方向の一端を高く設置して勾配を付ける方法とがある。
【００３０】
前記（ｂ１）既設の太陽電池パネルの一部又は全部を高さ方向に移動させる方法は、原則的に太陽電池パネル自体は取り替えしないため、新たな太陽電池パネルを必要としないので、費用コストも低く抑えることができ、当該太陽電池パネルの両方の端部をそれぞれ固定する固定受部を高く形成した固定部材を用いればよい。また、高く設置した太陽電池パネルの側面を雪止め部としてもよく、この場合には、当該貯留空間形成工程は雪止め部形成工程を兼ねることができる。
【００３１】
前記（ｂ２）既設の太陽電池パネルの一部又は全部の流れ方向の一端を高く設置して勾配を付ける方法は、原則的に太陽電池パネル自体は取り替えしないため、新たな太陽電池パネルを必要としないので、費用コストも低く抑えることができ、当該太陽電池パネルの一方の端部を固定する固定受部を高くした固定部材を用いればよい。また、一端を高く設置した太陽電池パネルの側面を雪止め部としてもよいため、この場合には、当該貯留空間形成工程は雪止め部形成工程を兼ねることができる。
【００３２】
前記（Ｃ）それらを組み合わせた方法は、前記の（ａ１）か（ａ２）かの何れかを前記の（ｂ１）か（ｂ２）かの何れかに組み合わせる方法である。後述する第５実施例は、前記の（ａ２）と（ｂ２）とを組み合わせた方法の実施例である。
【００３３】
（II）雪止め部形成工程
前記貯留空間形成工程等にて形成した貯留空間に、雪を導き得る雪止め部を設ける工程であり、例えば既設の太陽電池パネルを固定している一部又は全部の固定部材に代えて上方へ延出する突出部を有する固定具を用いるようにしてもよい。
この突出部は、固定具に一体に形成されるものであっても、突出部を備える別部材を固定具に一体的に組み付ける（取り付ける）ものであってもよい。別部材を取り付ける場合、その取付方法、ビス等による直止め、ボルトナットによる締着、係合、嵌合等が想定される。また、突出部は、連続材が好ましいが、雪止め、空気の排出効果が得られれば必ずしも連続材に限定するものではない。
また、この突出部は、前述のように雪止め、空気の排出効果を目的に設けられるものであるから、例えば流れ方向が明らかである下地、即ち勾配のある下地に対して太陽電池パネルを配設する場合には水上側に設けることが好ましいが、例えば略平坦状の下地、即ち勾配が殆ど無い下地に対して太陽電池パネルを配設する場合には、設置条件（風向き等）を考慮して設ければよい。
【００３４】
この突出部を有する固定具を用いる工程は、前記の（ａ１）〜（ｂ２）の何れの方法と組み合わせてもよいが、前述のように前記（ｂ１）及び前記（ｂ２）の方法はこの方法自体が雪止め部形成工程を兼ねるものとしてもよいため、前記の（ａ１）及び（ａ２）の方法と組み合わせることが望ましい。
【００３５】
このように本発明の既存の太陽電池屋根の雪止め方法は、既存屋根上に殆ど隙間なく形成された既存の太陽電池パネル間に雪を貯留し得る貯留空間を形成すると共に、該貯留空間に雪を導き得る雪止め部を形成するので、僅かな作業にて、雪止め部にて雪や雨水を貯留空間へ落とし、又は該貯留空間からパネルの裏面空間に落とすことができ、受光面への積雪や付着物等を速やかに排除することができ、太陽電池の発電効率の低下を防止できる雪止め構造を構築することができる。なお、裏面空間とは、太陽電池パネルと下地（折板屋根）との間の空間を指す。
さらに、前記雪止め部は、太陽電池パネルの裏面空間内の空気を排出する作用も果たすので、太陽電池パネルの裏面空間内の排熱が円滑に行え、太陽電池セルの発電効率の低下を抑制できる。
【実施例１】
【００３６】
図１（ａ）に示す本発明の第１実施例は、既設の太陽電池パネル１の一部（又は全部）を既存屋根上の流れ方向（図中では左右方向）に移動させて隣接する太陽電池パネル１，１間に貯留空間アを形成する工程（貯留空間形成工程）を行い、既存の固定部材２に代えて上方へ延出する突出部３３を有する固定具３を用いる工程（雪止め部形成工程）を行うものであり、太陽電池パネル１自体は取り替えないため、新たな太陽電池パネルを必要としない方法である。なお、この第１実施例では、突出部３３が雪止め部イである。
【００３７】
図１（ｂ）は、比較のために示した本発明を施工する以前の既存の太陽電池屋根であって、山部と谷部とを構成する外装材４Ａと、躯体４Ｃ上に固定されて前記外装材４Ａを保持する保持部材４Ｂとからなる折板屋根４には、左右分割型の（支持金具の）本体５Ａと略ハット型の連結枠体５Ｂと上向きの縦ボルト５Ｃとからなる支持金具５が一体化されて取り付けられ、取り付けられた支持金具５の受けフランジ５１に、太陽電池パネル１の端部が載置される状態で敷設され、断面が逆ハット型の固定部材２に保持される構成であり、該太陽電池パネル１は、流れ方向にほぼ隙間なく配設された構成である。
【００３８】
前記支持金具５は、図１（ａ）の上方に拡大して示すように、上端に略平坦状の受けフランジ５１が設けられ、その下方に通孔を有する縦片部分を介して外方へ膨出状の包持部が設けられ、さらにその下方に着座部が設けられ、受けフランジ５１の略中央には連結枠体５Ｂが配設され、該連結枠体５Ｂの裏面側から縦ボルト５Ｃが上向きに立設する状態で取り付けられている。そして、この支持金具５を構成する本体５Ａと連結枠体５Ｂと縦ボルト５Ｃとは、一体状に組み合わされ、その着座部を折板屋根４に受支させると共に、その包持部がハゼ部を覆うように配置した状態で前記縦片部分に設けた通孔に連結具（ボルトナット）５Ｄを締着することにより折板屋根４に一体的に取り付けられる構成である。
【００３９】
前記太陽電池パネル１は、平面形状を略躯体状に形成した太陽電池モジュール１０の流れ方向に対向する端縁にフレーム１１，１１を一体的に取り付けた構成であり、流れ方向の長さはＬである。このフレーム１１は、上端に略コ字状の保持部分を有し、該保持部分の下方に中空の四角柱状の着地部分が形成され、この着地部分が前記支持金具５Ａの受けフランジ５１上に支持される状態で敷設される。なお、図中１２で示す裏面空間とは、太陽電池パネル１と下地（折板屋根４）との間の空間を指し、太陽電池モジュール１０の裏面に限定されない。
【００４０】
前記固定部材２は、図１（ｂ）の上方に拡大して示すように、その左右の上端に形成された横片状の押さえ部２１，２１が前記太陽電池パネル１，１の対向する端縁を押さえ、その略中央の横片部分が固定部２２であり、該固定部２２に設けた孔２２１に縦ボルト５Ｃを貫通させた状態でその先端にナット５Ｄを締め付けて太陽電池パネル１，１を一体的に保持する構成である。
なお、前記支持金具５と前記固定部材２との間には、縦筒状材であるの高さ調整材６が配設され、前記縦ボルト５Ｃが貫通するように取り付けられている。
【００４１】
このような構成を有する既存の太陽電池屋根では、雪止め構造が存在しないため、積雪部分が太陽電池の受光面積を減少させ、発電量の低下に繋がっていた。
また、この既存の太陽電池屋根に雪止め効果を付与しようとしても、流れ方向に隣接する太陽電池パネル１，１間に殆ど隙間が形成されないように施工されているため、雪止め具は流れ方向の端縁に取り付ける他はなく、雪止め効果は著しく低い。
さらに、この既存の太陽電池屋根では、太陽電池パネル１と折板屋根４との間に形成される裏面空間１２に空気が滞留しているため、太陽電池セルの効率が低下し易い状況にあった。
【００４２】
そこで、本発明の第１実施例では、まず既設の太陽電池パネル１の一部（左端のパネル以外のパネル）を流れ方向の上方（図では右方向）に移動させて隣接する太陽電池パネル１，１間に貯留空間アを形成する工程を行った。具体的には、図示するように既存の太陽電池パネル１，１間の間隔はＸであったが、一定間隔Ｙを形成するように太陽電池パネル１を右方向にずらして配設した。
【００４３】
その際、太陽電池パネル１，１の端部を載置するための支持金具５，５を、流れ方向に並列させて配設した後、前述のように太陽電池パネル１を、一定間隔Ｙを形成するように流れ方向にずらして配設し、貯留空間アを形成した。
なお、支持金具５，５を流れ方向に並列させて配設したため、間隔Ｙが形成されると言い換えることもできる。
【００４４】
次に、既存の固定部材２に代えて、図１（ａ）の上方に拡大して示すように、上方へ延出する突出部３３を有する固定具３を用いる雪止め部イの形成工程を行った。具体的には、既存の固定部材２を取り除き、前述のように形成された貯留空間アの水下側に位置する太陽電池パネル１の水上側の端部を固定具３で保持し、この貯留空間アの水上側に位置する太陽電池パネル１の水下側の端部を前記既存の固定部材２とほぼ同様の構成を有する固定部材２Ｂで保持した。
【００４５】
その際に用いる固定具３は、太陽電池パネル１の端縁を押さえる押さえ部３１や縦ボルト５Ｃの先端に貫通状に取り付けられる固定部３２を備える点では前記固定部材２と略同様であるが、上方へ延在する突出片状の取付受部３４を備える本体３Ａと、突出部３３及び下方が開放する溝状の取付部３５を備える起立材３Ｂと、両部材を固定する取付ビス３Ｃとからなる。
また、固定部材２Ｂは、右方側のみに押さえ部２１を有する以外は、前記既存の固定部材２と全く同様の構成であり、図面に同一符号を付して説明を省略する。
なお、これらの固定具３及び固定部材２Ｂを用いること以外は、既存の固定部材２を用いた構造と全く同様の取付構造であり、折板屋根４に取り付けた支持金具５，５に立設する縦ボルト５Ｃ，５Ｃのそれぞれに縦筒状材である高さ調整材６，６が配設され、更にその上に固定具３及び固定部材２Ｂが取り付けられる。その際、固定具３の押さえ部３１及び固定部材２Ｂの押さえ部２１が太陽電池パネル１，１の端縁を押さえるように取り付け、ナット５Ｄ，５Ｄを締め付けることにより押さえ保持する。そして、固定具３に形成された突出部３３が雪止め部イとなる。
【００４６】
なお、言及しなかった作業（操作）については、既存の、或いは公知の太陽電池屋根の敷設作業と同様に行えばよく、例えば隣接するパネル１，１の太陽電池セルを電気的に接続するためのケーブル等については、長さに余裕があれば、該ケーブル等をそのままにして作業を行うことができる。
【００４７】
このように施工される本発明の第１実施例の雪止め構造は、殆ど隙間なく形成された既存の太陽電池パネル１，１間に雪を貯留し得る貯留空間アを形成する工程と、該貯留空間アに雪を導き得る雪止め部イを形成する工程とからなり、僅かな作業にて、雪止め効果を付与すると共に、太陽電池の発電効率を向上する効果、及び電池効率の低下を抑制する効果をも付与することができる。
また、単なる雪止め効果ではなく、雪止め部イにて雪や雨水を貯留空間アへ落とす、又は該パネル１，１間から裏面空間１２に落とすことができ、受光面への積雪や付着物等を速やかに排除することができ、太陽電池の発電効率の低下を防止することができる。
さらに、前記雪止め部イは、軒側、即ち水下側からの吹き上げ風が吹き付けるため、雪止め部イの上端を減圧状態とするため、裏面空間１２（太陽電池パネル１と折板屋根４との間）の空気が表面側へ吸い出す作用が果たされ、排熱が円滑に行え、太陽電池セルの発電効率の低下を抑制することができる。
【００４８】
また、この第１実施例では、新たな太陽電池パネルを必要とせず、並列状に配設した指示金具５等も既存のものを流用でき、新たな部材としては、突出部３３を有する固定具３を配すればよく、この固定具３は極めて簡易な構造であるため、費用コストも低く抑えることができる。
【００４９】
図２（ａ）に示す本発明の第２実施例は、既設の太陽電池パネル１の一部（又は全部）を取り除き、当該取り外した太陽電池パネル１より幅狭な太陽電池パネル７を敷設することで隣接する太陽電池パネル７，１間に貯留空間アを形成する工程を行う点が前記第１実施例と異なるだけで、その他の雪止め部イの形成工程、及びその際に用いる固定具３などは殆ど前記第１実施例と同様である。
【００５０】
図２（ｂ）は、比較のために示した本発明を施工する以前の既存の太陽電池屋根であって、前記図１（ｂ）と全く同一であって、流れ方向の長さＬの太陽電池パネル１は、流れ方向にほぼ隙間なく配設された構成である。
そして、図２（ａ）の第２実施例では、この既存の太陽電池屋根に対し、一つおきの太陽電池パネル１を取り除き、幅狭な（流れ方向の長さＳ）太陽電池パネル７に代えるようにした。
なお、この幅狭な太陽電池パネル７は、太陽電池モジュール７０の流れ方向の長さＳが幅狭に形成された以外は既存の太陽電池パネル１と全く同様の構成であり、フレーム材７１もフレーム１１と同様である。
また、支持金具５，５を、流れ方向に並列させて配設し、それにより、パネル７，１間の間隔Ｙを形成する点については、前記第１実施例と同様である。
前述のように固定具３については、前記第１実施例と全く同様であるが、突出部３３を備えない固定部材２としては、既存の固定部材２をそのまま用いた。
【００５１】
そして、この第２実施例でも、前記第１実施例とほぼ同様の効果を奏することができ、特に既設の太陽電池パネルの耐久期限が迫っている場合や新たに高性能の太陽電池パネルを取り付ける場合などに好適である。
【００５２】
図３（ａ）に示す本発明の第３実施例は、既存の太陽電池屋根に対し、その一部（又は全部）の太陽電池パネル１'を高さ方向に移動させることにより、隣接する太陽電池パネル１'，１間に段差（隅部）状の貯留空間アを形成するものであり、更には雪止め部イを形成する工程をも兼ねるものである。
なお、高方向に移動する太陽電池パネル１'は、取り付けられた位置から取り外して高さ方向にずらせるだけであるから、パネル自体の構成は全く同様であるが、動かさない太陽電池パネル１と区別するため、符号「１'」を用いる。
【００５３】
詳しくは、一つおきの太陽電池パネル１'を上方にずらして配設することにより、隣接する太陽電池パネル１'，１間に段差（隅部）状の貯留空間アを形成し、当該段差（即ち太陽電池パネル１'の水上側の側面）が雪止め部イとなる。
この操作を行うため、即ち太陽電池パネル１'を上方にずらして配設するための高さ調整支持材６Ａ，６Ｂと固定具３Ｚを図３（ｂ）に示した。
【００５４】
縦筒状材である高さ調整支持材６Ａは、前記第１，第２実施例にても使用した高さ調整材６と同様であり、固定具３Ｚの配設高さを調整する。断面略Ｚ字状の高さ調整支持材６Ｂは、固定部６３の右端を立ち上げた縦片６１の上端に横片状の受支部６２を形成した構成であり、太陽電池パネル１'を受支する高さを調整する。そして、固定具３Ｚは、左右の一方（左方）の押さえ部３１が、移動させない太陽電池パネル１の端縁を保持し、他方（右方）の押さえ部３１'が、上方にずらして配設する太陽電池パネル１'の端縁を保持するものであり、前記固定部材２の固定部２２の右側の側面を縦長に形成した構成であり、押さえ部３１'は縦長に形成した側面部３６の上端に形成されている。なお、この側面部３６の外面側が雪止め部イとなる。
なお、これらの高さ調整支持材６Ｂ及び固定具３Ｚは、上方にずらして配設する太陽電池パネル１'の水下側（図面左側）の端部に配するものであり、水上側（図面右側）にはそれらを左右反転した高さ調整支持材６Ｂ'及び固定具３Ｚ'を用いる。
【００５５】
そして、前記構成の高さ調整支持材６Ａ，６Ｂ，６Ｂ'，固定具３Ｚ，３Ｚ'を用いる第３実施例は、以下のように施工する。
まず、既存の太陽電池屋根の固定部材２及び高さ調整材６を取り外し、一つおきの太陽電池パネル１'を上方にずらした状態で高さ調整支持材６Ｂ，６Ｂ'を一つおきに変えて取り付け、取り付けた高さ調整支持材６Ｂ，６Ｂ'の各受支部６２に太陽電池パネル１'の端縁を載置する。
その後、固定具３Ｚ，３Ｚ'を一つおきに変えて取り付け、それぞれの押さえ部３１，３１'で隣接する太陽電池パネル１，１'の端縁を押さえ保持する。
【００５６】
このように施工される第３実施例の雪止め構造は、前記第１実施例と同様に太陽電池パネル１自体は取り替えないため、新たな太陽電池パネルを必要とせず、費用コストも低く抑えることができる。なお、高く移動させた太陽電池パネル１'の側面に位置する側面部３６を雪止め部イとできるため、貯留空間ア形成工程も雪止め部イ形成工程も兼ねることができる。
また、この第３実施例では、高く移動させた太陽電池パネル１'の裏面空間１２が、水下側からの吹き上げ風等に曝され易く、裏面空間内の空気を排出する作用も強く果たされるものとなる。
【００５７】
図４（ａ）に示す本発明の第４実施例は、既存の太陽電池屋根に対し、その一部（又は全部）の太陽電池パネル１"の流れ方向の一端を高く設置して勾配を付けることにより、隣接する太陽電池パネル１"，１間に段差（隅部）状の貯留空間アを形成するものであり、更には雪止め部イを形成する工程をも兼ねるものである。
なお、流れ方向の一端を高く設置して勾配を付ける太陽電池パネル１"は、取り付けられた位置から取り外してその一端を高さ方向にずらせるだけであるから、パネル自体の構成は全く同様であるが、動かさない太陽電池パネル１と区別するため、符号「１"」を用いる。
【００５８】
詳しくは、一つおきの太陽電池パネル１"の水上側の一端を上方にずらして配設することにより、当該太陽電池パネル１"は勾配が付けられ、隣接する太陽電池パネル１"，１間に段差（隅部）状の貯留空間アを形成し、当該段差（即ち太陽電池パネル１"の水上側の側面）が雪止め部イとなる。
この操作を行うため、即ち太陽電池パネル１'を上方にずらして配設するための高さ調整支持材６Ｂ'と固定具３Ｚ'は、前記第３実施例にて用いたものであるから、同一符号を付して説明を省略する。
【００５９】
そして、この第４実施例は、以下のように施工する。
まず、既存の太陽電池屋根の固定部材２を一つおきに取り外し、一つおきの太陽電池パネル１"の水上側（図面右側）の端部を上方にずらした状態で高さ調整支持材６Ｂ'を取り付け、取り付けた高さ調整支持材６Ｂ'の受支部６２に太陽電池パネル１"の水上側の端部を載置する。
その後、固定具３Ｚ'を、押さえ部３１'，３１で隣接する太陽電池パネル１”，１の端縁を押さえ保持する。
【００６０】
このように施工される第４実施例の雪止め構造は、前記第１、第３実施例と同様に太陽電池パネル１自体は取り替えないため、新たな太陽電池パネルを必要とせず、費用コストも低く抑えることができる。なお、一端（水上側の端縁）を高く移動させて勾配を付けた太陽電池パネル１"の側面に位置する側面部３６を雪止め部イとできるため、貯留空間アの形成工程も雪止め部イの形成工程も兼ねることができる。
また、この第４実施例では、勾配を付けた太陽電池パネル１"に対して軒側、即ち水下側からの吹き上げ風がその傾斜表面に沿って吹き上げるため、太陽電池パネル１"の水上端縁に至った風が上方に乱流を起こし、貯留空間イの上端を減圧状態とするため、裏面空間（太陽電池パネル１と折板屋根４との間）の空気が表面側へ吸い出す作用が果たされ、水下側から水上側へ向かう裏面空間１２の空気の流れを著しく速め、太陽電池セル自体が発生する温度を抑えることで発電効率の低下を防ぐことができる。
【００６１】
図４（ｂ）に示す本発明の第５実施例は、前記第４実施例と同様に既存の太陽電池屋根に対し、その一部の太陽電池パネルの流れ方向の一端を高く設置して勾配を付ける態様でもあり、前記第２実施例と同様にその一部の太陽電池パネル１を取り除き、当該取り外した太陽電池パネル１より幅狭な太陽電池パネル７を敷設する態様でもある。
【００６２】
詳しくは４枚毎に中間部２枚の太陽電池パネル１を取り外し、流れ方向に幅狭の太陽電池パネル７'を勾配を付けて取り付ける。したがって、隣接する太陽電池パネル７"，７"間、又は太陽電池パネル７"，１間に段差（隅部）状で且つ幅広の貯留空間アを形成するものであり、当該段差（即ち太陽電池パネル１'の水上側の側面）が雪止め部イとなる。
なお、流れ方向の一端を高く設置して勾配を付ける太陽電池パネル７"は、取り付けられた位置から取り外してその一端を高さ方向にずらせるだけであるから、パネル自体の構成は前記第２実施例に用いた幅狭の太陽電池パネル７と全く同様であるが、平坦状に取り付けたこの太陽電池パネル７と区別するため、符号「７"」を用いる。
この第５実施例に用いる高さ調整支持材６Ｂ'と固定具３Ｚ'は、前記第３実施例にて用いたものであるから、同一符号を付して説明を省略する。
【００６３】
このように施工される第５実施例の雪止め構造は、一端（水上側の端縁）を高く移動させて勾配を付けた太陽電池パネル７"の側面に位置する側面部３６を雪止め部イとできるため、貯留空間アの形成工程も雪止め部イの形成工程も兼ねることができる。
また、この第５実施例では、勾配を付けた太陽電池パネル７"の水上側に形成される貯留空間アが、段差（隅部）状で且つ幅広であるため、他の第１〜第４実施例に比べて多量の雪を貯留することができる。なお、該貯留空間イに貯留した雪は、裏面空間１２内の空気が排出される際に融解することが期待される。
【符号の説明】
【００６４】
１，１'，１"  太陽電池パネル
１０  太陽電池モジュール
１１  フレーム
１２  裏面空間
２，２Ｂ  固定部材
２１  押さえ部
２２  固定部
３，３Ｚ，３Ｚ'  固定具
３Ａ  本体
３Ｂ  起立材
３Ｃ  取付ビス
３１  押さえ部
３２  固定部
３３  突出部
４  折板屋根
４Ａ  外装材
４Ｂ  保持部材
４Ｃ  躯体
５  支持金具
５Ａ  本体
５Ｂ  連結枠体
５Ｃ  縦ボルト
５Ｄ  ナット
６  高さ調整材
６Ａ，６Ｂ  高さ調整支持材
７，７"  （幅狭の）太陽電池パネル
Ｌ  太陽電池パネル１の流れ方向の幅長
Ｓ  幅狭の太陽電池パネル７の流れ方向の幅長
Ｘ  既存の太陽電池屋根における太陽電池パネル間の距離
Ｙ  第１実施例における太陽電池パネル間の距離
ア  貯留空間
イ  雪止め部
【図１】
2014080829.tif 000003
【図２】
2014080829.tif 000004
【図３】
2014080829.tif 000005
【図４】
2014080829.tif 000006